(57)【特許請求の範囲】
【請求項１】
システム全体を制御する制御装置と、この制御装置から出力される制御信号に基づいて制御される被制御装置と、所定のイベントを強制的または任意に繰り上げ実行させる信号を前記制御装置に送信する制御信号発生装置をＬＡＮ上に接続し、さらに前記制御装置を多重化してＬＡＮ上に接続し、複数の前記制御装置の中から１つの制御装置を採用して前記被制御装置を制御させる局内設備制御システムにおいて、
各制御装置に対して共通の同期信号を出力する同期信号発生装置を設け、前記制御装置に、前記同期信号発生装置からの同期信号を計数する計数手段と、前記制御信号発生装置から信号を受信した時点から前記計数手段の計数を開始させ、所定のカウント数に到達するまで前記制御信号発生装置からの信号の受付を禁止するように制御する制御手段とを設けたことを特徴とする局内設備制御システム。
【発明の詳細な説明】
【０００１】
【発明の属する技術分野】
本発明は、多数の被制御装置とこれらの被制御装置を同じタイミングで同時に動作させることが可能な制御装置等を包含する局内設備制御システムに関する。
【０００２】
【従来の技術】
放送局などの映像情報を配信、供給するシステムにおいては、映像情報を処理する装置もシステマティックに制御されるようになってきている。このような制御システムでは、自動番組送出装置（ＡＰＣ）と呼ばれる制御装置が、番組、ＣＭ等の映像を蓄積したビデオテープレコーダ（ＶＴＲ）やバンク、これらの映像を切り替えるスイッチャ等といった複数の被制御装置をアークネット（ＡＲＣＮＥＴ）等のローカルエリアネットワーク（以下、「ＬＡＮ」と略す）を介して制御している。
【０００３】
図５は従来の局内設備制御システムの要部構成を示すブロック図、図６は制御信号の構成を示した説明図であり、１はＡＰＣ、２０は同期の基準となる垂直同期信号（以下、「Ｖ信号」と略し、Ｖ信号の１周期分の時間を１Ｖと表記する）を発生する信号発生器を示し、このＡＰＣ１および被制御装置Ａ〜ＺをＬＡＮに接続することにより、ＡＰＣ１によって被制御装置Ａ〜Ｚを制御するネットワークが形成される。
【０００４】
ＡＰＣ１は、リアルタイム制御可能なＬＡＮに接続され、１秒に１回供給される秒信号に同期して、同時に複数の制御信号をＬＡＮに対して送信できる。制御信号は、図６（ａ）に示すように、制御対象となる被制御装置を指定する対象被制御装置識別子と、制御内容を指定する制御情報とを含んでいる。例えば、被制御装置Ａに対して「切替」という制御を行いたい場合には、図６（ｂ）に示すような制御信号を送信する。
【０００５】
被制御装置は、制御信号を受信して被制御装置に直接制御を行うための局所制御装置と対になっている。被制御装置の典型的な例として、被制御装置Ａ、被制御装置Ｚを挙げて説明する。被制御装置Ａは局所制御装置ａを内蔵しており、信号発生器２０からのＶ信号の入力が可能であって入力されたＶ信号に同期して制御が実行される。一方、被制御装置Ｚは局所制御装置ｚが外付けであり、また、信号発生器２０からのＶ信号は入力不可能であるため、ＡＰＣ１や被制御装置Ａとは非同期に、制御信号を受信してからある一定の遅延時間の後に動作するように制御される。
【０００６】
ところで、放送分野は公共性が非常に高い分野であるため、映像情報を配信する際に失敗が許されない。そこで、現在の設備においてはＡＰＣおよびＬＡＮを二重化して、一方の系統で制御を行い、他方の系統を予備とし、一方の系統で障害が発生した場合や任意により他方の系統に切り替えて制御に支障がないようにネットワークを構築している。なお、二重化したＬＡＮによって構成される２つのネットワークを、以下、第１，第２ネットワークと称する。
【０００７】
図７は従来の局内制御システムの一例システムの概略構成を示すブロック図であり、１ａ，１ｂはＡＰＣ、２は、各種制御ボタン等が配設されており、ＡＰＣ１ａ，１ｂに制御コマンドを出力する卓、３はバンク、４はＶＴＲ、５は被制御システム、６〜８はＮＯＤＥを示す。
【０００８】
バンク３は、映像や音声プログラム(番組・ＣＭなどのソフトコンテンツ）の登録・蓄積を行い、目的とするプログラムを順次呼び出し再生する装置である。一般的にはマスターに付帯するリソース機器としての設備であり、番組送出運行スケジュールに基づいたＡＰＣからの制御信号によって運行される。従来は、カードマシンや光磁気ディスクを用いてシステム構築を行っていたが、近年ではサーバーを用いたシステムへ移行しつつある。また、使用目的に応じて「ＣＭバンク」「番組バンク」「ＡＶ（静止画）バンク」などと呼ばれている。
【０００９】
被制御システム５は、ＳＷ’ｅｒ（ＰＧＭルータ＋ＤＳＫ）、分配ルータ等と、これらに対応して設けられ、二重化したサブネットワークそれぞれに接続するＮＯＤＥと、二重化したサブネットワークに対応して設けられ、第１，第２ネットワークに接続するブルータとを有するものである。
【００１０】
次に、ブルータについて説明する。トークンパッシングバス方式ＬＡＮシステムにおいては、ノードの着脱や電源の切断，投入が発生した場合、トークン巡回手順の再構築を図る必要があるため伝送路は一時バースト状態となるため、通信のリアルタイム性が保障できなくなる。ブルータはこのような状況の発生を未然に防ぐために設置する装置であり、他システムとの接続など運用状況の管理が困難な個所へＬＡＮシステムを延長する場合に挿入するものである。一言で言えば、バーストの影響が幹線ＬＡＮ（第１，第２ネットワーク）に影響を及ぼさないようにサブネットワーク内で留まるように配置されたルータである。
【００１１】
また、ＮＯＤＥ６，７，８は、図５における局所制御装置に該当するものであり、同期信号に基づいてタイミングを見計らってＬＡＮから受信した制御信号を、パラレル、シリアルなどの別のインターフェースに信号変換して各機器に伝えるほか、その逆にパラレル、シリアルなどで受けた信号を制御信号に変換してＬＡＮに送出する役目を司るものである。
【００１２】
次に、システムの構成について説明する。
【００１３】
ＡＰＣ１ａおよびＡＰＣ１ｂはともに第１，第２ネットワークに接続されており、卓２はＮＯＤＥ６を介して第１，第２ネットワークに接続されている。同様にバンク３はＮＯＤＥ７、ＶＴＲ４はＮＯＤＥ８を介して第１，第２ネットワークに接続されている。被制御装置はＡＰＣ１ａまたはＡＰＣ１ｂのいずれによっても制御可能であり、通常は、一方のＡＰＣを使用し、他方のＡＰＣは一方のＡＰＣに障害が発生した場合に切り替えて使用される。なお、以下の説明では、通常はＡＰＣ１ａを使用し、予備としてＡＰＣ１ｂを使用するものとして説明する。また、ＡＰＣ１ａによる制御系統を現用系、ＡＰＣ１ａ，１ｂによる制御系統を予備系と称することにする。
【００１４】
卓２上には強制的にあるいは任意にイベントを繰り上げて実行させる「Ｔａｋｅボタン」が備えられており、このＴａｋｅボタンを押圧すると、Ｔａｋｅ信号がＡＰＣ１ａ，１ｂに送信され、ＡＰＣ１ａ，１ｂではＴａｋｅ信号を受け付けたならばできるだけ早くＴａｋｅ信号をバンク３やＶＴＲ５等の被制御装置を送信することにより、被制御装置の制御が行われる。なお、卓２上には、Ｔａｋｅボタンの他にも、Ｒｅｔａｋｅ、Ｓｋｉｐ、ＡｕｔｏＳｋｉｐ、Ｈｏｌｄといったボタンも備えられている。Ｒｅｔａｋｅは同じイベントの再実行を指示する信号、Ｓｋｉｐは次のイベントを実行しないで繰り上げることを指示する信号（ただし、アンタイムイベントに関しては実行しないで繰り上げる）、ＡｕｔｏＳｋｉｐは現在時刻のイベントをＮｅｘｔイベントに準備することを指示する信号、Ｈｏｌｄは現在のイベントを維持し、解除されるまでＮｅｘｔイベントを実行しないことを指示する信号である。なお、アンタイムイベントとは、時刻不定イベントのことで、ネットに接続しているキー局からのＱ信号と呼ばれる信号か、手動にてＴａｋｅボタンを押されるかのどちらかによって実行されるイベントであって、例えば、野球放送などのコマーシャルなどは時間不定で攻守チェンジのときに実行されるものであるためアンタイムイベントに該当する。
【００１５】
【発明が解決しようとする課題】
図８は図７のシステムにおけるＡＰＣの動作を示す説明図であり、ＡＰＣ１ａおよびＡＰＣ１ｂはＴａｋｅ信号を受信した時点でソフトウェアによる内部タイマーを起動させ、この内部タイマーが約５秒カウントするまで制御信号を受け付けない状態となる。そして内部タイマーが約５秒カウントした後に、Ｔａｋｅ信号の受付が可能になる。つまり、イベントを繰り上げたことによって、実行中であったイベントが終了となるため事後制御（ＶＴＲの巻き戻し、バンクのスキップ、テロップのアフターチェンジなど）が行われるが、この事後制御が確実に行われないと次のイベントを繰り上げたときに制御が間に合わなくなり、動作異常になるおそれがある。このような不具合を防止するために、約５秒の受付禁止期間が設けられている。なお、受付禁止期間は適宜設定可能である。
【００１６】
ところで、ＡＰＣ１ａおよびＡＰＣ１ｂには同時にＴａｋｅ信号が送られるために、理論上はＡＰＣ１ａおよびＡＰＣ１ｂの内部タイマーの動作は同期するはずである。しかし実際には、ＡＰＣ１ａおよびＡＰＣ１ｂの内部タイマーはソフトウェアによるものであるため、プログラムの実行状態によって、内部タイマーをセットする部分のプログラムが実行されるまでの時間が微妙に異なるという状況が発生し、そのため最大で16ms程度の誤差が発生する。その結果、ＡＰＣ１ａおよびＡＰＣ１ｂの内部タイマーの動作は非同期となり、両制御系統に不整合が生ずる。
【００１７】
図８に示す例においては、ＡＰＣ１ａとＡＰＣ１ｂとでは受付禁止期間の開始時点が16ms程度ずれるために終了時点もずれが生じ、ＡＰＣ１ａによる制御ではＴａｋｅ信号の受付が可能であるにもかかわらず、ＡＰＣ１ｂによる制御ではＴａｋｅ信号の受付ができないようになる。
【００１８】
ここで、実際の出力制御にはＡＰＣ１ａまたはＡＰＣ１ｂの中の一方の系統しか制御に携わっていないため、２つのＡＰＣの実行イベントに差が生まれても、使用中の制御装置に異常が発生しなければ放送には影響がない。しかし、上記したような実行イベントに差があるときに、何かしらのトラブルでＡＰＣ１ａとＡＰＣ１ｂのシステム切り替えが発生した場合、実行中のイベントが異ってしまい、即放送事故ということになるため、放送分野では非常に大きな問題となる。
【００１９】
具体的には、次の２例が考えられる。
（例１）
ＡＰＣ１ａ(現用)                    ＡＰＣ１ｂ（予備）
イベント１  10:00:00  ＶＴＲ(１)    イベント１  10:00:00  ＶＴＲ(１)
イベント２  10:01:00  バンク(１)    イベント２  10:01:00  バンク(１※)
イベント３  10:02:00  ＶＴＲ(２※)  イベント３  10:02:00  ＶＴＲ(２)
例えば、上のような状況でイベント１が現用、予備の両系とも実行されていてＶＴＲ(１)の映像が出力されているとする。ここでＴａｋｅボタンを押したとすると、イベント２が繰り上げて実行され、バンク(１)の映像に切り替わる。その約５秒後Ｔａｋｅを再び押すと、受付けたＡＰＣ１ａの制御によってイベント３が繰り上げ実行され、ＶＴＲ(２)の映像に切り替わるが、ＡＰＣ１ｂは拒否するためイベント２が実行されたままとなる。
【００２０】
現用系においてイベント３が実行中に何かトラブルが発生し、現用系から予備系にシステムが切り替えられると、ＶＴＲ(２)の映像から突然、ＡＰＣ１ｂの制御によって実行中のバンク(１)の映像に切り替わってしまい、その結果、即放送事故になる。そして、所定時刻(10:02:00)になった時点でイベント３が実行される。
（例２）
ＡＰＣ１ａ(現用)                    ＡＰＣ１ｂ（予備）
イベント１  10:00:00  ＶＴＲ(１)    イベント１  10:00:00  ＶＴＲ(１)
イベント２  10:01:00  バンク(１※)  イベント２  10:01:00  バンク(１)
イベント３  10:02:00  ＶＴＲ(２)    イベント３  10:02:00  ＶＴＲ(２※)
例えば、上のような状況でイベント１が両系とも実行されていてＶＴＲ(１)の映像が出力されているとする。
【００２１】
ここでＴａｋｅボタンを押したとすると、イベント２が繰り上げて実行され、バンク(１)の映像に切り替わる。その約５秒後Ｔａｋｅボタンを再び押すと、受付けたＡＰＣ１ｂによってイベント３が実行されるが、ＡＰＣ１ａはイベント３を拒否するためにイベント２が実行されたままとなり、バンク(１)の映像が出力され続ける。
【００２２】
この状態で現用系に何かトラブルが発生し、現用系から予備系にシステムが切り替えられると、バンク(１)の映像から突然、ＡＰＣ１ｂで実行中のＶＴＲ(２)の映像（この場合ＶＴＲ(２)に対して再生指示は特に出されないため、黒画が出力されることになると思われる）に切り替わってしまい、即放送事故になる。
【００２３】
本発明は、このような問題を解決し、ＡＰＣを多重化したシステムにおいて、採用するＡＰＣが切り替えられた場合に、確実に継続して動作させることを実現した局内設備制御システムを提供することを目的としている。
【００２４】
【課題を解決するための手段】
この目的を達成するために、請求項１に係る発明は、システム全体を制御する制御装置と、この制御装置から出力される制御信号に基づいて制御される被制御装置と、所定のイベントを強制的または任意に繰り上げ実行させる信号を前記制御装置に送信する制御信号発生装置をＬＡＮ上に接続し、さらに前記制御装置を多重化してＬＡＮ上に接続し、複数の前記制御装置の中から１つの制御装置を採用して前記被制御装置を制御させる局内設備制御システムにおいて、各制御装置に対して共通の同期信号を出力する同期信号発生装置を設け、前記制御装置に、前記同期信号発生装置からの同期信号を計数する計数手段と、前記制御信号発生装置から信号を受信した時点から前記計数手段の計数を開始させ、所定のカウント数に到達するまで前記制御信号発生装置からの信号の受付を禁止するように制御する制御手段とを設けたことを特徴とする。このような構成により、共通の同期信号に基づいて、信号の受付を禁止する期間を各制御装置において同期させるように同時制御することにより、受付禁止期間を設けても、その期間自体、各制御装置による制御系統においてまったく等しくなるので各系統で実行中のイベントが異なることは発生しない。そのため、使用中の制御系統で異常が発生した場合に他の制御系統に切り替えたしても、放送事故につながるようなことは一切なくなる。
【００２５】
【発明の実施の形態】
以下、本発明の一実施形態について、図面を参照しながら説明する。
【００２６】
図１は本発明の実施形態におけるシステムの概略構成を示すブロック図であり、９はＳＩ送出装置、１０は、ＭＣＵ／ＭＣＳ（ＭＵＸ）や字幕等、その他の放送関連機器、１１は、スイッチャーＮＯＤＥ，ＧＭルータ，ＤＳＫ，分配ルータ等からなる二重化したサブネットワークと、このサブネットワークを第１，第２のネットワークに接続するブルータとを有する被制御システム、１２，１３はＮＯＤＥを示す。なお、図７に示した従来のシステムにおける装置と同一の装置あるいは同一機能の装置については同一の符号を付して詳細な説明は省略する。
【００２７】
ＳＩ送出装置９におけるＳＩとはサービス情報（Service Information)を示し、デジタルテレビ放送における番組に入れる情報でＭＰＥＧ２システムにおけるＰＳＩ情報をも含む。該当する放送網(ネットワーク)上に放送される番組のタイトルや放映時間、チャンネル、ジャンルコードなどの情報群の総称でＥＰＧを提示するための情報源でもある。国内のデジタル放送におけるＳＩの運用基準であるＡＲＩＢ−ＳＩについては、ＡＲＩＢ  ＳＴＤ−Ｂ１４で標準規格として制定されている。ここでＰＳＩ(Program Specification Information)情報は、ＭＰＥＧ２システムで規定されている番組関連情報に関するプログラム仕様であり、テーブル情報群の総称で、ＰＡＴ、ＰＭＴ、ＣＡＴ，ＮＩＴより構成されており、デジタルテレビ放送における放送網ディレクトリ、番組のデータ構造や形式などの仕様を規定するもので、受信端末が番組をチューニングするために必須な最重要情報群である。
【００２８】
また、ＮＯＤＥ１２，１３は、ＮＯＤＥ６，７，８と同様に、同期信号に基づいてタイミングを見計らってＬＡＮから受信した制御信号を、パラレル、シリアルなどの別のインターフェースに信号変換して、各機器に伝えるほか、その逆にパラレル、シリアル等で受けた信号を制御信号に変換してＬＡＮに送出する役目を司るものである。
【００２９】
次に、被制御システム１１において、まず、スイッチャーＮＯＤＥについて説明する。ベースバンド系機器（ＰＧＭルータ、ＤＳＫ、分配ルータなどが該当する）の数が非常に多い場合、１台に１つのノードを接続してタイミング制御を行わせても良いが、ノードの台数がかさみ販売価格への影響も大きい。この部分のタイミング制御を一括して管理するのが、スイッチャーＮＯＤＥ（ＳＷ’ｅｒ ＮＯＤＥ）と呼ばれるノードである、スイッチャーＮＯＤＥによってサブネットワーク上にあるベースバンド系機器のタイミング制御が一括して管理される。
【００３０】
また、関連機器６におけるＭＣＵ/ＭＣＳ（Mux Control Unit/System）は、ＭＵＸ（Multiplexer）に対して外部から制御を行う際における、インターフェースとなる部分であり、マスターシステムからＭＵＸシステムに対する制御をかける場合、ＭＣＵ/ＭＣＳに対して指示を出す。ここで、ＭＵＸ（Multiplexer）とはデジタル放送においては多重化装置のことを指す。デジタル放送システムにおけるＵＳＰＳの構成要素で、ＭＰＥＧエンコーダからのＥＳやＰＳＩ／ＳＩ−ＴＳ、ＥＭＭ／ＥＣＭ−ＴＳなどを受け、各種サービス情報と制御情報が多重化されたＴＳ（トランスポートストリーム）の生成を行う。また、ＵＳＰＳ(Up-link Signal Processing System)は、デジタルテレビ放送送出系システムにおけるベースバンド処理系からアップリンク系へ信号を渡すための処理系システムであり、具体的にはＭＰＥＧエンコーダ、ＭＵＸなどのシステムがこれに該当する。
【００３１】
次に、ネットワークの構成について説明する。ＳＩ送出装置９はＮＯＤＥ１２を介して、関連機器１０はＮＯＤＥ１３を介して第１，第２ネットワークに接続されている。また、被制御システム１４も第１，第２ネットワークそれぞれに接続されている。なお、その他の構成は、図７に示す構成と同じである。なお、第１，第２ネットワークに接続する際には、図示しないＨＵＢ（ARCNET用のもの）を使用して分配した構成となっている。
【００３２】
図２は本発明の実施形態におけるシステムの要部を示すブロック図、図３は図２におけるＡＰＣの動作を示す説明図である。なお、図２において図５に示す部材と同一の部材については同一の符号を付して、詳細な説明は省略する。
【００３３】
本実施形態における局内設備制御システムは、図１に示すシステムにおいて、信号発生装置２０から、ＡＰＣ１ａ、ＡＰＣ１ｂ、局所制御装置ａ〜ｚおよび局所制御装置を内蔵する被制御装置に垂直同期信号（以下、「Ｖ信号」と表記し、Ｖ信号の１周期分の時間を１Ｖと表記する）を出力する構成である。
【００３４】
また、図２に示すように、ＡＰＣ１ａ，ＡＰＣ１ｂには同期信号受信部が備わっており、同様に、Ｖ信号が入力される全ての装置には図示しない同期信号受信部が備わっており、各同期信号受信部は同一の信号発生器２０に接続されている。そのため、各同期信号受信部では共通のＶ信号を同期信号として入力し、各被制御装置はＶ信号に同期して動作する。なお、図１に示す構成において被制御装置としては、バンク３、ＶＴＲ４、ＳＩ送出装置９、関連機器１０および被制御システム１４が該当し、局所制御装置としてはＮＯＤＥ７，８，１２，１３が該当する。さらに、卓２からの制御信号をＡＰＣ１ａ，１ｂに出力するＮＯＤＥ６に対しても、信号発生器２０からＶ信号が出力されている。
【００３５】
次に、本実施形態の動作について図２，図３および図１を参照しながら説明する。なお、以下の説明では、従来技術の説明と同様に、ＡＰＣ１ａの制御系統を現用系、ＡＰＣ１ｂの制御系統を予備系として説明する。
【００３６】
図２には図示していないが、信号発生器２０からのＶ信号は図１におけるＮＯＤＥ６にも分配されており、卓２上の制御ボタンが押下された時に、Ｖ信号に同期してＮＯＤＥ６から制御ボタンに対応した制御信号が出力される。具体的には、Ｔａｋｅボタンが押下した直後にＴａｋｅ信号押下がＮＯＤＥ６にパラレルにて出力される。そして、ＮＯＤＥ６はＴａｋｅ信号を入力した時点から次のＶ信号に同期したタイミングでＴａｋｅ信号をＡＰＣ１ａ，１ｂに送信する。
【００３７】
ＡＰＣ１ａおよびＡＰＣ１ｂにおいてはＮＯＤＥ６からＴａｋｅ信号を受け取った時点の次のＶ信号からカウントを開始し、Ｖ信号のカウント数に基づいて受付禁止期間を管理する。ここで、Ｔａｋｅ信号がＡＰＣ１ａ，１ｂに到達するまでの時間は１Ｖより短いことが保証されているため、Ｖ信号の発生時間の間隔内でＡＰＣ１ａおよびＡＰＣ１ｂがＴａｋｅ信号を受け取るようになる。したがって、同一のＶ信号からカウントを開始するようになる。
【００３８】
本実施形態においては、１Ｖ＝１６．７ｍｓに設定されているため、例えば、受付禁止期間を約５秒に設定した場合には１５０Ｖカウントした時点で、Ｔａｋｅ信号の受付が可能な状態になる。
【００３９】
つまり、ＡＰＣ１ａおよびＡＰＣ１ｂにおいて、Ｔａｋｅ信号を受け取るタイミングが同一で、しかも入力するＶ信号が同一の信号発生器２０からのものであるため、受付禁止期間の開始時点が一致するようになる。また、Ｖ信号のカウント数により受付禁止期間が設定されるため、受付禁止期間すなわち他の制御信号を受け付けない排他期間を同一にすることができる。
【００４０】
次に、ＡＰＣ１ａおよびＡＰＣ１ｂの動作について説明する。
【００４１】
従来の技術の欄で説明した図５，図６のシステムの場合、Ｖ信号が入力不可能な被制御装置に対しては他の被制御装置との同期制御ができず、どうしても制御を実行するタイミングがずれるという問題があった。
【００４２】
そこで、図２に示すように、信号発生器２０のＶ信号を、ＡＰＣ１および各局所制御装置に出力し、図４（ａ）に示すように、制御対象となる被制御装置を指定する対象被制御装置識別子および制御内容を指定する制御情報の他に、制御調整時間情報を含め、制御調整時間情報に対応するＶ信号をカウントした時点で制御情報の制御を行うようにすることも考えられている。例えば、図４（ｂ）に示すような制御信号を送信した場合、局所制御装置Ａは制御調整時間情報に書かれている１１Ｖから被制御装置Ａの制御ディレイ、例えば２Ｖだけ差し引いた９Ｖカウントして待機した後、被制御装置Ａに対して制御指示を行う。被制御装置Ａは２Ｖの制御ディレイの後、指示された制御を実行し、その結果切替動作がおこる。
【００４３】
このように構成したことにより、制御信号に制御調整時間情報を含めることにより、局所制御装置は制御信号を受信してから所定の時間待機した後に、被制御装置に対して制御指示を出すことができ、これにより、複数の被制御装置を同時に制御を実行することが可能となる。
【００４４】
また、手動指示による制御において発生する受付禁止期間も同期信号に同期した形式をとることにより、現用、予備系でイベントずれが発生しなくなる。その結果、ＡＰＣ１ａによる制御系統の実行中イベントとＡＰＣ１ｂによる制御系統の実行中イベントと同期させることができるために、ＡＰＣ１ａに障害が生じてＡＰＣ１ｂに現用を切り替えた場合にも、問題なく運用が続行できる。
【００４５】
なお、本実施形態においては、信号発生器２０から垂直同期信号を発生して、ＡＰＣ１ａ，１ｂおよび各局所制御装置に垂直同期信号を送るように構成したが、その構成に限るものではない。例えば、同期信号としては５９．９４Ｈｚである垂直同期信号を想定して説明を行っているが、垂直同期信号を２分周して２９．９７Ｈｚとしたフレーム信号や水平同期信号、その他の機器全体を同時制御するための基準クロック信号を使用した場合にも本論を逸脱しないことは明らかである。
【００４６】
また、本実施形態では映像信号に関わる被制御装置を例に述べたが、音声信号やデータ信号に関わる被制御装置に関しても本発明を適用できることは明らかである。また、同期信号をＬＡＮとは別の結線にて各装置に供給するように説明しているが、ＬＡＮや無線接続にて供給するように構成してもよい。
【００４７】
【発明の効果】
以上のように構成した本発明によれば、複数の制御装置において、共通の同期信号に基づいて信号の受付を禁止する期間を同期させるように同時制御することが可能になるため、信号の受付を禁止する期間がずれたことに起因してそのずれている期間に何かしらのトラブルが発生したことによって制御装置の切り替えが発生した場合、実行中のイベントが異ってしまい、放送事故が発生するという従来の不具合を確実に防止することができる。このように、各系統の実行イベントを等しく保つことが可能になり、トラブルに強い多重化システムを作り上げることが可能になる。
【図面の簡単な説明】
【図１】本発明の実施形態におけるシステムの概略構成を示すブロック図
【図２】本発明の実施形態におけるシステムの要部を示すブロック図
【図３】図２におけるＡＰＣの動作を示す説明図
【図４】図２における制御信号の構成を示す説明図
【図５】従来の局内設備制御システムの要部構成を示すブロック図
【図６】図５における制御信号の構成を示す説明図
【図７】従来の局内制御システムの一例システムの概略構成を示すブロック図
【図８】図５のシステムにおけるＡＰＣの動作を示す説明図
【符号の説明】
１，１ａ，１ｂ  ＡＰＣ
２  卓
３  バンク
４  ＶＴＲ
９  ＳＩ送出装置
１０  関連機器
５，１１  被制御システム
６，７，８，１１，１２  ＮＯＤＥ
２０  信号発生器
【図１】
0003923844.tif 000002
【図２】
0003923844.tif 000003
【図３】
0003923844.tif 000004
【図４】
0003923844.tif 000005
【図５】
0003923844.tif 000006
【図６】
0003923844.tif 000007
【図７】
0003923844.tif 000008
【図８】
0003923844.tif 000009